(57)【要約】【課題】容器の形状を特に限定しなくても、常にストローを取り外し易く、しかもストローが物流時に阻害となることがないストロー兼備容器を提供する。【解決手段】ストローを備えた容器の側壁に、凹部を設けると共に、この凹部を跨いだ状態でストローを側壁に密着保持させることで、凹部を跨いでいる部分のストローを手指でつかむと、手指の先が凹部に入り、つかみシロが増えた状態でストローを簡単につかめて、ストローを側壁から取り外せ、容器の側壁にストローを密着保持させているから、ストローが物流時の阻害要因とならず、容器の形状を限定しなくても、常にストローの取り外しが容易となり、物流も阻害なく行える効果がある。【選択図】図２
2008189368.tif 000002
【特許請求の範囲】
【請求項１】
ストローを備えた容器の側壁に、凹部を設けると共に、該凹部を跨いだ状態で前記ストローを前記側壁に密着保持させたことを特徴とするストロー兼備容器。
【請求項２】
前記ストローの上端及び下端が、前記側壁に密着ないし近接している請求項１記載のストロー兼備容器。
【請求項３】
前記凹部は、前記容器の側壁に周方向全周にわたって、あるいは周方向に間隔をおいて設けられている請求項１または２記載のストロー兼備容器。
【請求項４】
前記側壁には、前記ストローを保持する軸方向に延びる収納部が形成されており、該収納部は、前記側壁から内側に凹んで形成され、前記収納部には前記凹部が形成されてなる請求項１ないし３のいずれか１項に記載のストロー兼備容器。
【請求項５】
前記収納部の下端には、前記ストローからの液垂れを保持する液溜まり部が形成されている請求項４記載のストロー兼備容器。
【発明の詳細な説明】
【技術分野】
【０００１】
本発明は、乳飲料、コーヒー飲料、果汁飲料などの飲料を充填しているストロー兼備容器に関し、より詳しくは、容器の側壁に付設したストローの取り外しを容易にしたストロー兼備容器に関する。
【背景技術】
【０００２】
従来のストロー兼備容器は、図６に示すように、容器５０の側壁５１に包装袋５２入りストロー５３を密着保持させてなる。このようなストロー兼備容器では包装袋５２入りストロー５３を手指でつかみづらく、取り外しが意外に難しい、特に、比較的力の弱い子供や女性ではその影響が大きい。このような不都合を解消するストロー兼備容器として、下記のものが知られている。
【特許文献１】実開平７−４３１４３号公報
【０００３】
この特許文献１に係るストロー兼備容器は、図７に示すように、容器５４の側壁５５に包装袋５２入りストロー５３を収納するポケット部５６を設け、このポケット部５６の一部、すなわち、上部を開口し、残余を容器５４に貼り付けるラベル５７で覆うようにしている。そして、この上部の開口、すなわち、拡開箇所５８からはみ出た部分の包装袋５２入りストロー５３は手指でつかみ易くて取り外すようにしている。
【発明の開示】
【発明が解決しようとする課題】
【０００４】
上記特許文献１のストロー兼備容器における包装袋５２入りストロー５３の取り外しが容易なのは、ポケット部５６の拡開箇所５８から上の容器５４の側壁５５がコーン部５９になっているからであり、しかも一旦使用したストロー５３をポケット部５６に再収納出来るのも、コーン部５９があるからである。したがって、コーン部５９が無い形状の容器では適用できないから、包装袋５２入りストロー５３を手指でつかみづらく、取り外しが意外に難しいという、不都合を解消することが出来ない。また、ストロー５３の上端は拡開箇所からはみ出しているために、輸送時等にストロー５３の上端が引っ掛かり、ストロー５３が容器から外れてしまう虞がある。
【０００５】
そこで、本発明の目的は、容器の形状を特に限定しなくても、常にストローを取り外し易く、しかもストローが物流時に阻害となることがないストロー兼備容器を提供することにある。
【課題を解決するための手段】
【０００６】
本発明は、上記目的を達成するために提案されたものであって、下記の構成からなることを特徴とするものである。
すなわち、本発明によれば、ストローを備えた容器の側壁に、凹部を設けると共に、該凹部を跨いだ状態で前記ストローを前記側壁に密着保持させたことを特徴とするストロー兼備容器が提供される。
【０００７】
また、本発明によれば、前記ストローの上端及び下端が、前記側壁に密着ないし近接しているストロー兼備容器が提供される。
【０００８】
また、本発明によれば、前記凹部は、前記容器の側壁に周方向全周にわたって、あるいは周方向に間隔をおいて設けられている上記ストロー兼備容器が提供される。
【０００９】
また、本発明によれば、前記側壁には、前記ストローを保持する軸方向に延びる収納部が形成されており、該収納部は、前記側壁から内側に凹んで形成され、前記収納部には前記凹部が形成されてなるストロー兼備容器が提供される。
【００１０】
また、本発明によれば、前記収納部の下端には、前記ストローからの液垂れを保持する液溜まり部が形成されているストロー兼備容器が提供される。
【発明の効果】
【００１１】
本発明のストロー兼備容器は、凹部を跨いでいる部分のストローを手指でつかむと、手指の先が凹部に入り、つかみシロが増えた状態でストローをつかめて、ストローを側壁から取り外すことができる。また、容器の側壁にストローを密着保持させているから、ストローが物流時の阻害要因とならない。したがって、容器の形状を特に限定しなくても、常にストローをつかみシロが増えた状態でつかめ得て、取り外しが容易となり、物流も阻害なく行える効果がある。
【００１２】
また、本発明のストロー兼備容器は、ストローの上端及び下端が容器の側壁に密着ないし近接しているため、物流時にストローが引っ掛かり、ストローが損傷したり、外れたりすることがない効果がある。
【００１３】
また、本発明のストロー兼備容器は、凹部が容器の側壁周方向全周にわたって、あるいは周方向に間隔をおいて設けられているため、容器側壁からストローが取りやすい上に、容器の成形が容易となり、また容器を握りやすくなり、さらに、ストローの容器への溶着が容易になる効果がある。
【００１４】
また、本発明のストロー兼備容器は、側壁から内側に凹んで形成された収納部に保持された、ストローの凹部に位置した部分を手指でつかむと、手指の先が凹部に入り、つかみシロが増えた状態でストローをつかめて、ストローを収納部から取り外せる。また、容器の収納部にストローを保持させているから、物流時におけるストロー自体の損傷が無くなり、なお一層物流時の阻害要因が無くなる。したがって、上記の効果に加えて、ストローが収納部に収納保持されている分、側壁にストローを密着保持している場合より、物流時の阻害要因が無くなり、物流がより確実になる効果がある。
【００１５】
また、本発明のストロー兼備容器は、上部収納部及び下部収納部に分かれて保持された
、ストローの凹部に位置した部分を手指でつかむと、手指の先が凹部に入り、つかみシロが増えた状態でストローをつかめて、ストローを上部収納部及び下部収納部から取り外せる。したがって、上記の効果に加えて、ストローが上部収納部及び下部収納部に収納保持されていても、側壁にストローを密着保持している場合より、物流時の阻害要因が無くなり、物流がより確実になる効果がある。
【００１６】
また、本発明のストロー兼備容器は、使用後のストローを上部収納部及び下部収納部に保持した際、ストローからの液垂れが液溜まり部に溜まる。したがって、上記の効果に加えて、ストローからの液垂れが外部に漏れず、容器回りの清潔さを保てる効果がある。
【発明を実施するための最良の形態】
【００１７】
以下に、図面を参照して本発明を実施するための最良の形態を説明する。
【実施例１】
【００１８】
図１は本発明の実施の形態を示すストロー兼備容器の正面図、図２は図１のストロー兼備容器の縦断面図である。図において、ストロー兼備容器１は、ストロー２を備えた容器３の側壁４に、凹部５を設けると共に、この凹部５を跨いだ状態でストロー２を側壁４に密着保持させたものである。
【００１９】
前記容器３としては、例えば、乳飲料、コーヒー飲料、果汁飲料など飲料を充填出来るものであり、且つその側壁４にストロー２を密着保持させ得るものであれば特に限定がないが、カップタイプのものが好ましく用いられる。その材質は主に合成樹脂や紙であるが、これも特に限定はない。そして、容器３の口部１０には剥がし片１１付きのシール蓋１２が貼り付けられ、容器３内に充填した飲料をシールしている。
【００２０】
一方、ストロー２は、包装袋１３内に入れられ衛生状態が保持され、この包装袋１３が前記容器３の側壁４に貼り付けられることにより、ストロー２が側壁４に密着保持されることになる。さらに、飲料が充填された容器３の側壁４に包装袋１３入りのストロー２が密着保持されている状態での物流時に、ストロー２がその物流の阻害要因となってはならない。また、このストロー２は、その上端部２ａ及び下端部２ｂが側壁４に密着ないし近接していることが好ましい。
【００２１】
そして、前記凹部５は、容器３の側壁４に周方向にわたった亙って形成されている。この凹部５は、容器３の側壁４の全周にわたり存在するから、側壁４に包装袋１３入りのストロー２を密着保持させていても、ストロー２を手指にて取り外す際、手指の先が凹部５内に入り、ストロー２を極めて容易につかむことが可能となり、側壁４からストロー２を容易に取り外すことができる。ただし、物流の観点から、ストロー２の上端及び下端は容器の側壁に密着ないし近接していることが好ましい。なお、この凹部５は、容器３の側壁４の全周にわたり存在しなくても良い。すなわち、この凹部５は、最低限手指でストロー２を容易につかむことが可能となる程度、手指の先が入る形状になっていれば良い。
ただし、容器を握りやすくするために、凹部５を周方向に間隔を空けて複数個設けることも出来る。
【００２２】
次に、図１及び２を参照して、上記構成になるストロー兼備容器１の利用状況を説明する。
まず、飲料を充填してある容器３の側壁４に密着保持している包装袋１３入りのストロー２を取り外す。すなわち、凹部５を跨いでいる部分のストロー２を包装袋１３の上から手指でつかめば、手指の先を凹部５に入れることができて、つかみシロが増えた状態でストロー２をつかむことができる。したがって、ストロー２を力強く外方に引っ張ることが出来、包装袋１３入りのストロー２を側壁４から容易に取り外すことが出来る。次に、剥がし片１１を手指でつかみ、シール蓋１２をストロー２を容器３内に挿入できる程度まで開封する。そして、包装袋１３を切り裂きストロー２を取り出し、容器３内にストロー２を挿入すれば、ストロー２を通して飲料を飲むことができる。
【００２３】
一方、包装袋１３入りのストロー２は、容器３の側壁４に密着保持あるいはストロー２の上端及び下端を側壁４に密着ないし近接させているから、包装袋１３入りのストロー２による物流容量の増大を防ぐと共に、ストロー兼備容器１同士の衝突の機会を減らし、更には、ストロー２の上下端部を引っ掛けてストロー２を損傷したり、ストロー２が容器側壁４から外れることを防止出来る。
【実施例２】
【００２４】
図３、４は本発明の他の実施の形態を示し、このストロー兼備容器１Ａと図１、２のストロー兼備容器１との相違点は、側壁４に、容器３の軸方向に延びると共に内方に凹んでいて、ストロー２を保持することができる収納部２０が形成され、その収納部２０には前記凹部５が形成されて、さらに、この収納部２０は凹部５上方に位置する上部収納部２１及び下方に位置する下部収納部２２からなる点にある。この収納部２０は包装袋１３入りのストロー２を着脱できるように形成されている。
【００２５】
したがって、このストロー兼備容器１Ａは、包装袋１３入りのストロー２が側壁４から内側に凹んで形成された収納部２０、すなわち、上部収納部２１及び下部収納部２２に分かれて保持され、凹部５に位置した部分のストロー２を手指でつかむと、手指の先が凹部５に入ることとなり、つかみシロが増えた状態でストロー２をつかめて、包装袋１３入りのストロー２を上部収納部２１及び下部収納部２２から容易に取り外せる。また、容器３の収納部２０に包装袋１３入りのストロー２を保持させているから、物流時におけるストロー２や包装袋１３の損傷が無くなり、物流時の阻害要因がなお一層無くなる。さらに、使用後のストロー２を再び収納部２０に保持させることができ、容器３に飲料が残っている場合や廃棄する場合に、ストロー２が紛失したり分散せず都合が良い。その他の構成、作用は、図１、２に示すストロー兼備容器１と同様なので、図面に符号を付してその説明を省略する。
【００２６】
図５は、図３、４のストロー兼備容器１Ａの変形例を示すもので、このストロー兼備容器１Ｂとストロー兼備容器１Ａとの相違点は、前記下部収納部２２の下端に前記ストロー２からの液垂れを保持する液溜まり部２３が形成されている点にある。このため、このストロー兼備容器１Ｂは、使用後のストロー２を上部収納部２１及び下部収納部２２に保持した際、ストロー２からの液垂れがあっても、液溜まり部２３に溜まり外部に漏れず、容器３回りの清潔さを保時でき、ストロー２自体も清潔さを保持できて、しかも紛失することもなく、再びストロー２を使用して容器３内に残っている飲料を飲むことができる。
【００２７】
以上、本発明の実施例１、２を説明したが、具体的な構成はこれに限定されず、本発明の要旨を逸脱しない範囲での変更は適宜可能であることは理解されるべきである。
【産業上の利用可能性】
【００２８】
本発明のストロー兼備容器は、兼備したストローが物流時に阻害要因とならずに、しかも容器の形状を特に限定しなくても、力の比較的弱い子供や女性でもストローを容易に取り外せたいような場合に、高い利用価値がある。
【図面の簡単な説明】
【００２９】
【図１】本発明の実施例１の形態を示すストロー兼備容器の正面図である。
【図２】図１のストロー兼備容器の縦断面図である。
【図３】本発明の実施例２の形態を示すストロー兼備容器の正面図である。
【図４】図３のストロー兼備容器の縦断面図である。
【図５】図３、４のストロー兼備容器の変形例を示す縦断面図である。
【図６】ストロー兼備容器の従来例の側面図である。
【図７】同じく従来例の斜視図である。
【符号の説明】
【００３０】
１，１Ａ，１Ｂ            ストロー兼備容器
２，５３                  ストロー
３，５０，５４            容器
４，５１，５５            側壁
５，５２                  凹部
１０                      口部
１１                      剥がし片
１２                      シール蓋
１３，５２                包装袋
２０                      収納部
２１                      上部収納部
２２                      下部収納部
２３                      液溜まり部
５６                      ポケット部
５７                      ラベル
５８                      拡開箇所
５９                      コーン部
【図１】
2008189368.tif 000003
【図２】
2008189368.tif 000004
【図３】
2008189368.tif 000005
【図４】
2008189368.tif 000006
【図５】
2008189368.tif 000007
【図６】
2008189368.tif 000008
【図７】
2008189368.tif 000009